(57)【要約】【課題】トイレや浴室の外に置いた車椅子から便座や浴槽との間の座位による移乗を可能にする。隠蔽性が確保でき、移乗に介護が必要な場合でも介護者の負担が小さく、かつ健常者が同一のトイレや浴室を支障なく使用できるようにする。【解決手段】トイレや浴室の壁面２に沿って設置され、座板を壁面ないしドアに添設した状態で折り畳むことが可能な、座位で入口開口を通って室の外から内へと移動できる旋回移動台を提供する。トイレないし浴室の壁面やドア面に座板及び当該座板を支持する部材が添設された状態に折畳まれ、この折畳み状態で座板が当該トイレないし浴室の壁面ないしドア面に添設されて位置し、座板を展開して旋回したときに、当該座板が入口開口を越えて移動する。グリップを備えた昇降杆を備えており、グリップに荷重をかけたときに昇降杆が下動してその下端が床面に押接されて座板の旋回を阻止する。【選択図】図３
2011019616.tif 000002
【特許請求の範囲】
【請求項１】
入口開口(4)の一方の縦縁(4a)の内側に設置した鉛直軸(25)回りに旋回可能に設置された旋回枠(12)と、当該旋回枠に上下方向に折畳み可能に装着された座板(7)と、前記旋回枠に上下動可能かつ上方に付勢して装着された昇降杆(19)と、当該昇降杆に設けたグリップ(18)とを備え、前記座板が前記縦縁に隣接する壁面(2)に添設した状態で折畳まれ、水平に展開した前記座板を前記入口開口側に旋回したときに当該座板の少なくとも一部が当該入口開口の外に進出し、前記グリップを下方に押し下げたときに前記昇降杆の下端が床面に押接されて前記旋回枠の旋回を阻止する、トイレないし浴室の旋回移動台。
【請求項２】
鉛直軸回りに回動して入口開口(4)を閉鎖する旋回扉(3)と、当該旋回扉に上下方向に折畳み可能に装着された座板(7)と、前記旋回扉に上下動可能かつ上方に付勢して装着された昇降杆(19)と、当該昇降杆に設けたグリップ(18)とを備え、前記座板が前記旋回扉に添設した状態で折畳まれ、水平に展開した前記座板の前記入口開口の外側に向かう旋回の移動端において、当該座板の少なくとも一部が当該入口開口の外に進出し、前記グリップを下方に押し下げたときに前記昇降杆の下端が床面に押接されて前記旋回扉の旋回を阻止する、トイレないし浴室の旋回移動台。
【請求項３】
前記旋回枠(12)ないし旋回扉(3)が、前記床面(1)上を転動する車輪(23)と、上下方向に折畳み可能な座板支持枠(6)とを備え、前記座板(7)が、当該座板支持枠に固定ないしその座面直角軸回りに回転可能に装着され、前記座板支持枠が、水平に展開された前記座板が前記旋回するときに床面上を転動する、車輪(24)を備えている、請求項１又は２記載の旋回移動台。
【請求項４】
前記旋回枠(12)ないし旋回扉(3)に前記昇降杆(19)がその杆軸回りに旋回可能に支持され、当該昇降杆の下端に床面と平行な所定長さないし所定間隔で滑り止め部材(27)が設けられ、前記グリップ(18)を下方に押し下げたときに、前記滑り止め部材が床面に押接されて、前記旋回枠の旋回及び前記グリップの旋回を阻止する、請求項１、２又は３記載の旋回移動台。
【発明の詳細な説明】
【技術分野】
【０００１】
この発明は、車椅子から座位でトイレの便座や浴室用椅子に移動できるようにした旋回移動台に関するものである。
【背景技術】
【０００２】
下肢の障害や運動神経系の障害のために、あるいは加齢による筋力の低下によって歩行が困難になった者は車椅子を使用する。車椅子使用者は、日常生活において、ベッドと車椅子間、便座と車椅子間及び浴槽と車椅子間の移乗を必要とする。歩行が困難であっても、起立し旋回し静かに着座することができる者は、手すりなどを適切に設けることによって、これらの間での移乗を比較的円滑に行うことができる。
【０００３】
しかし、立上がりや静かに着座する動作を行うことも困難であるときは、座位のままこれらの間の移乗を行うことが必要になる。ベッドと車椅子の移乗においては、座位移乗の手段としてスライディングボードが使用されている。便座との間の移乗は、便器の両側に折畳み式の手すりを設けることにより、車椅子を便座に接近させた状態で座位移乗するようにしている。また、浴槽への移動は、車椅子から浴槽用の椅子に移乗して介護者が浴槽内へ移動させるのが一般的である。
【０００４】
歩行が困難な者であっても、自主的な日常生活を送るためには、これらの移乗をできるだけ自分一人で行えるようにすることが必要である。また、たとえ介護者の手を借りるにしても、介護者の負担をできるだけ軽減することが必要である。特に排泄のための便座への移乗については、できるだけ自分一人で行いたいという感情や排泄行為を人に見られたくないという感情が強く働く。
【発明の概要】
【発明が解決しようとする課題】
【０００５】
上述した従来手段で車椅子と便座との間の座位移乗を可能にするためには、車椅子を便座に隣接する位置まで接近させることが必要であり、便器の回りに広い空間が必要である。しかし、一般の家庭や古い公共建築物では、そのような広い空間を確保することが困難であり、可能であったとしてもトイレの改装に多大な費用を必要とする。そのため、一般の家庭では、立位による車椅子から便座への移乗が困難になると、ポータブル式の便器を使用せざるを得ない。しかし、ポータブル式の便器は、使用時にトイレのような隠蔽性が保障されないこと、居住空間に排泄物の臭いが漏れること、介護者がポータブルトイレ内の排泄物の廃棄を行わなければならないことなどの問題があって、ポータブル式の便器の使用には、特に精神的な苦痛が伴いやすく、生活の品質を大きく低下させる要因となりやすい。
【０００６】
更に、立位を保持できない車椅子使用者が、介護者の手を借りないで、座位で車椅子から浴槽や浴室用椅子などに移乗することは困難である。
【０００７】
また、事業所などでは、障害者用のトイレのないことが障害者の雇用の妨げとなり、車椅子使用者には、障害者用のトイレのある階や建物までいちいち移動しなければならないという問題がある。更に、不特定多数の人が利用する建物、例えば小売店舗、金融機関、行政庁などの建物で比較的古い建物では、障害者用のトイレを備えていない建物も多い。このような建物では、車椅子使用者がトイレを使用することができず、買物や金融サービス、行政サービスの利用に時間的ないし生理的制約が生じている。
【０００８】
そこでこの発明は、狭い一般家庭や公共施設のトイレ、浴室などに設置することにより、車椅子とトイレ内の便座や浴室内の浴槽ないし浴室用椅子との間の座位による移乗を可能にし、かつ排泄時や入浴時の隠蔽性が確保でき、車椅子使用者と健常者とが同一のトイレや浴室を支障なく使用することができる移動台を提供することを課題としている。
【課題を解決するための手段】
【０００９】
上記課題を解決したこの出願の発明に係る旋回移動台は、トイレ、手洗い室、浴室などの入口開口４の一方の縦縁４ａの内側に鉛直方向に設置した旋回軸２５回りに旋回可能に設置された座板７を備えている。座板７は、旋回軸２５回りに旋回する旋回枠１２に、当該旋回枠が形成する鉛直な枠面と平行な水平軸１１回りに、上下方向、一般的には上方に回動して、当該枠面と平行な姿勢で折畳み可能に装着されている。
【００１０】
入口開口４を閉鎖するドア３とは別の部材として旋回枠１２を設けたときは、旋回枠１２が入口開口の縦縁４ａに隣接する壁面２に添設された状態となる一方の旋回移動端において、折畳み状態の座板７は、当該壁面２に添設された状態となる。座板７を水平軸１１回りに揺動して水平位置に展開し、旋回枠１２を壁面２から入口開口４側に旋回したとき、当該座板７の少なくとも入口開口４側の部分が入口開口４の外に進出する。
【００１１】
旋回枠が入口開口４を閉鎖する旋回扉（ドア）３であるときは、折畳まれた座板７は、ドア３の壁面に添設された状態で折畳まれる。ドアが内開きのドアであるときは、座板７は当該ドアの外面側に装着され、水平に展開された座板７は、ドアが閉位置にあるときは入口開口４の外側に位置し、ドアを開くことにより入口開口４の内側へと引き込まれる。ドアが外開きのドアであるときは、座板７は、当該ドアの内面側に装着され、ドアを開いたときに入口開口４の外側へ進出し、ドアを閉じたときに入口開口４の内側に移動する。
【００１２】
旋回枠１２に上下方向に折畳み可能な座板支持枠６を装着し、当該座板支持枠に座板７を固定又はその座面直角方向の軸回りに回転自在にして装着するのが好ましい。座板７を座面直角方向の軸回りに回転自在に装着すれば、座板７に座った搭乗者が身体の向きを変えるのが容易になる。
【００１３】
旋回枠１２には、上下動可能にかつ上方に付勢された昇降杆１９を設け、この昇降杆に、一般的には昇降杆の上端に、グリップ１８を設ける。昇降杆１９は、下方に押し下げられたときに、昇降杆１９の下端が床面１に押接される長さで設ける。グリップ１８は、座板７への移乗及び座板７から便座２０や浴室用椅子への移乗の際に、移乗者が手で掴んだり腕を乗せて、身体を支えるためのものである。移乗者がグリップ１８で身体を支えると、昇降杆１９が押し下げられ、その下端が床面に押接されて、旋回枠１２ないしドア３の旋回が阻止される。昇降杆１９は、旋回枠１２ないしドア３に設ける構造が簡単であるが、座板支持枠６に、座板７が折畳まれるときに同時に折畳まれる構造で、設けることもできる。
【００１４】
車椅子と座板７間の移乗のときと、座板７と便座２０や浴室用椅子との移乗のときとで、グリップ１８を異なる方向や位置にしたいときは、旋回枠１２ないしドア３に昇降杆１９をその杆軸回りに旋回自在にして設け、グリップ１８を当該昇降杆から水平方向片側に延びるように設ける。この場合は、昇降杆１９の下端の床面１との当接部も水平方向の長さを備えるか又は複数箇所で床面１に押接される形状とし、昇降杆１９の下端が床面１に押接されたときに、昇降杆１９の旋回と旋回枠１２ないしドア３の旋回が同時に阻止されるようにする。昇降杆１９を複数設ける構造とすることももちろん可能である。
【００１５】
旋回枠１２ないしドア３には、床面１上の旋回軸２５を中心とする円弧軌跡に沿って転動する車輪２３、２４を設けるのが好ましい。車輪２３、２４を旋回枠１２ないしドア３の反旋回軸側と、展開した座板支持枠６の反旋回枠側とに設けることにより、座板７に搭乗した移乗者の荷重を、複数の車輪２３、２４と旋回軸２５の基端とで支えることができる。これにより、旋回枠１２をドアと別に設けたときの旋回軸２５の定置構造を簡易化でき、ドアを旋回枠としたときには、ドアのヒンジに作用する負荷を軽減できる。
【００１６】
車椅子と旋回移動台１０との間の移乗は、入口開口４の外に進出した座板７との間で行う。座板７に移乗した後、座板７を旋回軸２５回りに室内側へと旋回すれば、座板７は入口開口４を通って室内へと移動するから、室内で便座２０や浴槽ないし浴室用椅子に移乗する。
【００１７】
旋回枠１２をドア３と別に設けた構造において、入口開口４と室内の移乗先（便座や浴室用椅子など）２０との距離の差は、座板７の旋回軸２５回りの旋回量により吸収できる。座板７がドア３と干渉しない位置に旋回したとき、ドア３を閉めることができる。移乗先２０と入口開口４との距離が近い場合には、移乗先２０に移乗してからドア３を閉める。座板７は、旋回途中のどの位置ででも立設状態にでき、立設状態とすることでドア３との干渉を回避できる。
【００１８】
ドア３を旋回枠とする構造は、ドア３の開き方向やドアと便座などとの位置関係により、座板７から便座２０などへの移乗が困難になる場合がある。入口開口４と便座２０の距離が非常に近くてドアが外開きのときは、ドア３の内側面に座板７を装着する構造が便利である。
【発明の効果】
【００１９】
この発明の旋回移動台１０は、座板７を展開して入口開口４の外に向かう方向に旋回したとき、座板７全体ないし少なくとも座板７の旋回方向前方の部分が、トイレや浴室の入口開口４の外へと進出する。旋回移動台１０と車椅子間での移乗は、この進出した部分で行うことができ、従って車椅子をトイレや浴室内に乗り入れることなく移乗できる。旋回移動台１０に移乗すれば、その座板７の旋回により、便座２０や浴室内の所望の位置へ座位を保持したまま移動して行くことができ、その移動先で旋回移動台の座板７から便座２０や浴室用椅子などに移乗できる。
【００２０】
また、この発明の旋回移動台は、グリップ１８を備えており、移乗の際にこのグリップで身体を支えることができ、このグリップで身体を支えることにより、座板７の旋回が阻止されるので、車椅子や便座２０とこの発明の旋回移動台１０との間の移乗が容易になる。
【００２１】
この発明の旋回移動台１０は、一般家庭や古い公共建築物の狭いトイレにも簡単に設置することができ、旋回途中又は便座２０や浴室内の浴槽や浴室用椅子に移動した後、入口開口４を閉鎖することができ、遮蔽性を確保できる。座板７を折り畳むと、座板７や座板支持枠６が壁面２ないしドア３に添設した状態となるので、健常者がトイレや浴室を使用するときの邪魔にならない。
【図面の簡単な説明】
【００２２】
【図１】第１実施例を座板の展開状態で示す斜視図
【図２】第１実施例を座板の折畳み状態で示す斜視図
【図３】旋回に伴う第１実施例の座板の移動を示す平面図
【図４】旋回を固定するグリップの他の構造を示す斜視図
【図５】第２実施例を展開状態で示す斜視図
【図６】外開きドアに座板を設けた実施例のドアと座板の移動を示す平面図
【図７】内開きドアに座板を設けた実施例のドアと座板の移動を示す平面図
【発明を実施するための形態】
【００２３】
以下、図面を参照して、この発明の実施形態を説明する。図１〜３は、この発明の旋回移動台をトイレに設置した第１実施例を示した図で、図１は座板の展開状態を、図２は折畳み状態を示した斜視図である。図３は、展開した座板７を入口開口４の外側へと旋回させた状態とトイレ内に旋回して便座２０に移乗するときの状態とを示した平面図である。
【００２４】
図１、２において、トイレの入口開口４の縦縁４ａの内側の位置に、旋回軸２５が立設されている。旋回軸２５は、入口開口４の内側に置かれた扇状の基板２１の要の位置に当該基板に固定して立設されている。旋回軸２５には、回転筒１３が回転自在に挿通されている。回転筒１３には、コ字形の旋回枠１２が、その上下の旋回桁１１、１５の基端を、回転筒１３の側面に固定して、装着されている。
【００２５】
上旋回桁１１の軸回りに９０度上方に揺動可能に、座板支持枠６の後端が枢着されている。下旋回桁１５の軸回りに９０度上方に揺動可能に、座板支持枠６と平行に延びる平行リンク１４の後端が枢着されている。座板支持枠６の前端と平行リンク１４の前端とが、上下方向の連結リンク１６で枢支連結されている。座板７は、座板支持枠６に固定されている。旋回枠１２の反旋回軸側下端と連結リンク１６の下端には、床面１上を旋回軸２５を中心とする円周上を転動する車輪２３、２４が軸支されている。
【００２６】
座板７が上旋回桁１１回りに９０度上方へ揺動したとき、平行リンク１４も下旋回軸１５回りに９０度上方へ揺動し、連結リンク１６が旋回枠１２に沿う位置に折畳まれる。座板７を上旋回桁１１回りに９０度上方へ揺動し、旋回枠１２を壁面２に添設される位置に旋回することによって、座板７は、座面を壁側に向けて壁面２に添設された状態で折り畳まれる。座板７を旋回桁１１回りに下方に揺動して水平姿勢とし、旋回枠１２を入口開口４側に旋回することによって、座板７が入口開口４の外へ進出する（図３の破線）。座板７は、旋回位置のどの位置においても立設状態とすることができる。
【００２７】
上旋回桁１１と下旋回桁１５には、旋回枠１２の反座板側に延びる短い揺動ブラケット８、８の基端が枢着され、当該揺動ブラケットの先端に、鉛直方向の２本の昇降杆１９を繋ぐ水平方向の上下の支持棒９、９が、上下揺動自在に枢支されている。昇降杆１９の上端を繋ぐ横棒は、グリップ１８となっている。昇降杆１９の下端には、滑り止めゴム２７が装着されている。昇降杆１９は、旋回枠１２との間に装架した引張ばね２８で、上方に付勢されている。この引張ばねのばね力で昇降杆１９が上動したとき、滑り止めゴム２７は床面１から離れる。グリップ１８に荷重をかけて昇降杆１９を下動すると、滑り止めゴム２７が床面１に押接されて、旋回枠１２の旋回軸２５回りの旋回を、滑り止めゴム２７と床面１との摩擦により固定する。
【００２８】
車椅子使用者がトイレを使用するときは、車椅子でトイレの入口近くまで移動し、トイレのドア３を開け、入口開口４に隣接する壁面２に折畳まれている座板７を展開し（図３の実線）、旋回軸２５回りに座板７を入口開口４側に旋回する。この状態で座板７が入口開口４の外に進出するから、車椅子使用者は、車椅子の肘掛とグリップ１８とで身体を支えて、車椅子から旋回移動台の座板７に移乗する。そして、座板７を旋回軸２５回りに内側へと旋回して、座板７を便座２０に接近させ、グリップ１８と便座２０の横に適宜設けた従来公知の手すりないし肘掛で身体を支えて、座板７から便座２０へと移乗する。
【００２９】
乗り捨てた車椅子がドア３の閉鎖時に干渉する虞があるときは、車椅子から座板７に移乗した後、手で干渉しない位置に車椅子を押し動かす。座板７が入口開口４の内側に移動した以降の任意の時点で、ドア３を閉めれば、トイレの遮蔽性が確保される。退出するときは、逆の動作で旋回移動台１０を経て車椅子に移乗し、旋回移動台１０を折り畳んでトイレのドア３を閉める。
【００３０】
図１、２の実施例に示したグリップ１８は、その方向を変えることができないものであるが、方向を可変としたグリップとすることもできる。図４はその一例を示す図で、旋回枠１２には、上下方向のガイド筒１７が固定され、このガイド筒１７に上端を逆Ｌ形に折曲げて水平方向のグリップ１８を形成した一本の鉛直方向の昇降杆１９が上下動かつ回動自在に挿通されている。
【００３１】
昇降杆１９の下端には、非対称の逆Ｔ形を成すように、水平方向の足材２６が固定されている。足材２６には、その長手方向両端部に、滑り止めゴム２７が装着されている。昇降杆１９は、旋回枠１２との間に装架した引張ばね２８で上方に付勢されている。この引張ばねのばね力で昇降杆１９が上動したとき、足材の滑り止めゴム２７は床面から離れる。グリップ１８に荷重をかけて昇降杆１９を下動すると、足材２６の両端の滑り止めゴム２７が床面に押接されて、旋回枠１２の旋回とグリップ１８の昇降杆１９回りの回動との両方を、滑り止めゴム２７と床面との摩擦により固定することができる。
【００３２】
上記の実施例は、入口開口４を閉鎖するドアとは別に旋回枠１２を設けた構造であり、一般的にはこの構造が適しているが、入口開口４を閉鎖するドア自体をこの発明の旋回移動台における旋回枠として利用する構造も可能である。
【００３３】
図５は、その例を示した図で、旋回桁１１、１５がドア３の外面又は内面にブラケット２９で両端を固定して設けられている点のみが第１実施例と異なり、他は第１実施例と同じである。この場合、基板２１は存在せず、旋回軸２５がドアのヒンジとなり、旋回枠に軸着した車輪２３がドア３の下辺部に軸着されることになり、座板７はドア面に添設された状態で折畳まれる。その他の構造は、第１実施例と同様であるので、図に第１実施例と同じ符号を付して、説明を省略する。
【００３４】
図６は、ドアが外開きであるときの、車椅子から座板７に移乗するときと、座板７から便座２０に移乗するときの座板及びドアの位置を示す平面図である。また、図７は、ドアが内開きであるときの、車椅子から座板７に移乗するときと、座板７から便座２０に移乗するときの座板及びドアの位置を示す平面図である。図に示すように、ドアが外開きであるときは、座板７はドアの内側面に折畳み自在に装着され、ドアが内開きであるときは、座板７はドアの外側面に折畳み自在に装着される。
【符号の説明】
【００３５】
２  壁面
３  ドア
４  入口開口
６  座板支持枠
７  座板
10  旋回移動台
11  上旋回桁
12  旋回枠
13  回転筒
15  下旋回桁
18  グリップ
19  昇降杆
23,24  車輪
25  旋回軸
28  引張ばね
【図１】
2011019616.tif 000003
【図２】
2011019616.tif 000004
【図３】
2011019616.tif 000005
【図４】
2011019616.tif 000006
【図５】
2011019616.tif 000007
【図６】
2011019616.tif 000008
【図７】
2011019616.tif 000009